(57)【要約】【課題】被記録媒体を移動式ベルトに載置して搬送する搬送機構を備える記録装置において移動式ベルトの洗浄を簡単な構成できれいに実行する。【解決手段】被記録媒体Ｐを移動式ベルト１０に載置して搬送する搬送機構３と、前記被記録媒体Ｐに記録する記録ヘッド７と、複数の洗浄ローラー１２が回転軸方向Ｄに連結されて構成された洗浄ユニット１３を有する前記移動式ベルト１０の洗浄機構１５と、を備え、前記洗浄ユニット１３は、前記回転軸方向Ｄが前記移動式ベルトの移動方向Ａに対して斜め方向になるように、前記搬送機構３に対して配置されていることを特徴とする。【選択図】図３
2014124783.tif 000002
【特許請求の範囲】
【請求項１】
被記録媒体を移動式ベルトに載置して搬送する搬送機構と、
前記被記録媒体に記録する記録ヘッドと、
複数の洗浄ローラーが回転軸方向に連結されて構成された洗浄ユニットを有する前記移動式ベルトの洗浄機構と、を備え、
前記洗浄ユニットは、前記回転軸方向が前記移動式ベルトの移動方向に対して斜め方向になるように、前記搬送機構に対して配置されていることを特徴とする記録装置。
【請求項２】
請求項１に記載の記録装置において、
前記洗浄ユニットは、前記移動式ベルトの移動の際に前記複数の洗浄ローラー同士の間隔に起因する該移動式ベルトに対する非接触部分を生じさせない角度で、前記搬送機構に対して配置されていることを特徴とする記録装置。
【請求項３】
請求項１又は２に記載の記録装置において、
前記移動式ベルトは、グルーベルトであることを特徴とする記録装置。
【請求項４】
請求項１から３のいずれか１項に記載の記録装置において、
前記洗浄ユニットの洗浄機構を備えることを特徴とする記録装置。
【請求項５】
請求項４に記載の記録装置において、
前記洗浄ユニットの洗浄機構は、前記回転軸方向に移動可能なワイパーを有することを特徴とする記録装置。
【請求項６】
請求項１から５のいずれか１項に記載の記録装置において、
前記洗浄ユニットは、前記移動式ベルトの洗浄の際、前記移動式ベルトのベルト面に沿って前記回転軸方向に移動可能であることを特徴とする記録装置。
【請求項７】
請求項１から６のいずれか１項に記載の記録装置において、
前記被記録媒体の搬送方向と交差する方向に前記記録ヘッドを往復走査させて記録する記録機構を備え、
前記搬送機構は、前記記録ヘッドの往復走査に対応して前記被記録媒体を間欠搬送可能であって、
前記洗浄ユニットは、前記搬送機構による前記間欠搬送に対応して間欠回転可能であることを特徴とする記録装置。
【発明の詳細な説明】
【技術分野】
【０００１】
本発明は、被記録媒体を移動式ベルトに載置して搬送する搬送機構を備える記録装置に関する。
【背景技術】
【０００２】
従来から、被記録媒体を移動式ベルトに載置して搬送する搬送機構を備える記録装置が使用されている。このような記録装置を用いて被記録媒体に画像を記録する場合、被記録媒体の端部に記録を行う際に該端部からはみ出して移動式ベルトにインクが付着する場合がある。また、被記録媒体として布帛を使用する場合、布帛の表面（画像形成面）からインクが裏面に滲み出して移動式ベルトにインクが付着する場合がある。  
このため、例えば、特許文献１には、被記録媒体の搬送を行う無端ベルトと該無端ベルトの周面が高分子多孔質体からなる拭き取りローラーを具備する洗浄部とを備える記録装置が開示されている。
【０００３】
一方、被記録媒体を移動式ベルトに載置して搬送する搬送機構を備える記録装置に用いられる拭き取りローラー等の洗浄ローラーを具備する洗浄部は、既製品である洗浄ローラーを回転軸方向に連結して構成される場合が多い。このように構成される洗浄部は安価で簡単に作製できるためである。  
従来の記録装置は、このように構成される洗浄部をその回転軸方向が移動式ベルトの移動方向と直交する方向に配置していた。
【先行技術文献】
【特許文献】
【０００４】
【特許文献１】特開平１１−１９２６９４号公報
【発明の概要】
【発明が解決しようとする課題】
【０００５】
しかしながら、上記ように構成される洗浄部をその回転軸方向が移動式ベルトの移動方向と直交する方向に配置する場合、洗浄ローラー同士の間隔に起因して、移動式ベルトの移動方向に沿って線状に、該洗浄部と移動式ベルトとの非接触部分を生じる場合があった。このような場合、該洗浄部と移動式ベルトとの非接触部分のインクは洗浄されず、該移動式ベルトに被記録媒体を載置すると被記録媒体が汚れる場合があった。  
なお、特許文献１の記録装置は、洗浄ローラー同士の間隔に起因するインクの洗浄不良に関する記載はない。
【０００６】
そこで、本発明の目的は、被記録媒体を移動式ベルトに載置して搬送する搬送機構を備える記録装置において移動式ベルトの洗浄を簡単な構成できれいに実行することである。
【課題を解決するための手段】
【０００７】
上記課題を解決するための本発明の第１の態様の記録装置は、被記録媒体を移動式ベルトに載置して搬送する搬送機構と、前記被記録媒体に記録する記録ヘッドと、複数の洗浄ローラーが回転軸方向に連結されて構成された洗浄ユニットを有する前記移動式ベルトの洗浄機構と、を備え、前記洗浄ユニットは、前記回転軸方向が前記移動式ベルトの移動方向に対して斜め方向になるように、前記搬送機構に対して配置されていることを特徴とする。
【０００８】
本態様によれば、前記洗浄ユニットは、前記回転軸方向が前記移動式ベルトの移動方向に対して斜め方向になるように、前記搬送機構に対して配置されている。このため、前記洗浄ユニットは、このような簡単な構成で、洗浄ローラー同士の間隔があっても、前記移動式ベルトの移動の際において、該間隔に起因する該移動式ベルトに対する非接触部分を低減することができる。すなわち、該移動式ベルトの未洗浄部分を低減することができ、該移動式ベルトの洗浄を簡単な構成できれいに実行することが可能になる。
【０００９】
本発明の第２の態様の記録装置は、前記第１の態様において、前記洗浄ユニットは、前記移動式ベルトの移動の際に前記複数の洗浄ローラー同士の間隔に起因する該移動式ベルトに対する非接触部分を生じさせない角度で、前記搬送機構に対して配置されていることを特徴とする。
【００１０】
ここで、「前記複数の洗浄ローラー同士の間隔に起因する該移動式ベルトに対する非接触部分」とは、前記移動式ベルトの移動の際に、洗浄ローラー同士の間隔に起因して、移動式ベルトの移動方向に沿って生ずる、前記洗浄ユニットの前記移動式ベルトに対する線状の非接触部分を意味する。  
本態様によれば、前記間隔に起因する該移動式ベルトに対する非接触部分を無くすことができる。すなわち、該移動式ベルトの未洗浄部分を無くすことができ、該移動式ベルトの洗浄を簡単な構成できれいに実行することができる。
【００１１】
本発明の第３の態様の記録装置は、前記第１又は第２の態様において、前記移動式ベルトは、グルーベルトであることを特徴とする。
【００１２】
移動式ベルトとしてグルーベルト（被記録媒体の載置面に該被記録媒体を剥離可能に接着して保持する粘着剤が塗られたベルト）を有する記録装置では、被記録媒体を安定的に支持することが可能になるため、移動式ベルトとしてグルーベルトを好ましく用いることができる。  
グルーベルトは粘着剤が塗られているため、粘着剤が塗られていない移動式ベルトに比べて、前記洗浄ローラーと接触しない部分があると洗浄が不十分となりやすいが、本態様によれば、移動式ベルトとしてグルーベルトを有していてもきれいに洗浄することができる。
【００１３】
本発明の第４の態様の記録装置は、前記第１から第３のいずれか１つの態様において、前記洗浄ユニットの洗浄機構を備えることを特徴とする。
【００１４】
本態様によれば、前記洗浄ユニットをきれいに保つことができるため、移動式ベルトの洗浄をさらにきれいに実行することができる。
【００１５】
本発明の第５の態様の記録装置は、前記第４の態様において、前記洗浄ユニットの洗浄機構は、前記回転軸方向に移動可能なワイパーを有することを特徴とする。
【００１６】
本態様によれば、前記洗浄ユニットを簡単な構成できれいに保つことができる。
【００１７】
本発明の第６の態様の記録装置は、前記第１から第５のいずれか１つの態様において、前記洗浄ユニットは、前記移動式ベルトの洗浄の際、前記移動式ベルトのベルト面に沿って前記回転軸方向に移動可能であることを特徴とする。
【００１８】
本態様によれば、前記洗浄ユニットは前記移動式ベルトのベルト面に沿って前記回転軸方向に移動可能であるので、前記移動式ベルトに擦り付けることが可能になり、移動式ベルトの洗浄をさらにきれいに実行することができる。特に、前記洗浄ユニットは前記洗浄ローラーを複数有するので、洗浄効果の高い洗浄ローラーの角の部分を前記移動式ベルトに擦り付けることが可能になり、移動式ベルトの洗浄をきれいに実行することができる。
【００１９】
本発明の第７の態様の記録装置は、前記第１から第６のいずれか１つの態様において、前記被記録媒体の搬送方向と交差する方向に前記記録ヘッドを往復走査させて記録する記録機構を備え、前記搬送機構は、前記記録ヘッドの往復走査に対応して前記被記録媒体を間欠搬送可能であって、前記洗浄ユニットは、前記搬送機構による前記間欠搬送に対応して間欠回転可能であることを特徴とする。
【００２０】
本態様によれば、前記被記録媒体の間欠搬送に対応して、前記被記録媒体の搬送停止時には前記洗浄ユニットの回転を停止し、前記被記録媒体の搬送時には前記洗浄ユニットを回転させることができる。このため、前記記録ヘッドの記録走査中に前記洗浄ユニットが回転することにより生じ得る前記被記録媒体の振動を抑制することができ、該振動に起因する画質の低下を抑制することができる。
【図面の簡単な説明】
【００２１】
【図１】本発明の実施例１に係る記録装置を表す概略側面図。
【図２】本発明の実施例１に係る記録装置の洗浄ユニットの概略断面図。
【図３】本発明の実施例１に係る記録装置を下方から見た洗浄機構の概略斜視図。
【図４】本発明の実施例２に係る記録装置を表す概略側面図。
【図５】本発明の実施例２に係る記録装置を下方から見た洗浄機構の概略斜視図。
【図６】本発明の実施例３に係る記録装置を下方から見た洗浄機構の概略斜視図。
【発明を実施するための形態】
【００２２】
［実施例１］（図１〜図３）  
以下に、本発明の実施例に係る記録装置について、添付図面を参照して詳細に説明する。  
最初に、本発明の実施例１に係る記録装置について説明する。  
図１は本発明の実施例１に係る記録装置１の概略斜視図を表している。
【００２３】
本実施例の記録装置１は、記録を行うための被記録媒体ＰのロールＲ１を送り出すことが可能なセット部２を備えている。また、移動式ベルトとしてのグルーベルト１０により被記録媒体Ｐを搬送方向Ａに搬送する搬送機構３を備えている。また、被記録媒体Ｐの搬送方向Ａと交差する走査方向Ｂに記録ヘッド７を往復走査させて記録する記録機構４を備えている。また、グルーベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００２４】
セット部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に送り出すことが可能な構成となっている。なお、被記録媒体Ｐを搬送機構３に送り出す際、回転軸５は回転方向Ｃに回転する。
【００２５】
搬送機構３は、セット部２から送り出された被記録媒体Ｐを載置して搬送するグルーベルト１０と、グルーベルト１０を移動させる搬送ローラー８と従動ローラー９を備えている。なお、被記録媒体Ｐを搬送する際、搬送ローラー８は回転方向Ｃに回転する。
【００２６】
記録機構４は、記録ヘッド７と該記録ヘッド７を搭載する不図示のキャリッジと、該キャリッジを走査方向Ｂに往復移動させる不図示のキャリッジモーターを有している。なお、図１において走査方向Ｂは紙面に対して垂直方向である。  
記録の際、記録ヘッド７を往復走査させて記録するが、記録走査中（記録ヘッドの移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。  
ただし、このような構成の記録装置に限定されず、記録ヘッドとして所謂ラインヘッドを有する記録機構を備える記録装置であってもよい。
【００２７】
グルーベルト１０の洗浄機構１５は、複数の洗浄ローラー１２が回転軸方向に連結されて構成された洗浄ユニット１３と、洗浄ユニット１３の洗浄機構としての洗浄剤が入ったトレイ１４と、を有する。また、洗浄ユニット１３は、洗浄ユニット１３の回転軸方向Ｄ（図３参照）がグルーベルト１０の移動方向Ｅ（図３参照）に対して斜め方向になるように、搬送機構３に対して配置されている。
【００２８】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２９】
次に、本実施例の記録装置１における洗浄ユニット１３の構成について説明する。  
図２は、本実施例の記録装置１における洗浄ユニット１３の概略断面図である。  
洗浄ユニット１３は、複数の洗浄ローラー１２が回転軸方向Ｄに連結されて構成されている。洗浄ローラー１２は不図示の芯部に通されて固定される支持部１９とフレキシブル材料で構成されるブラシ２０とにより構成されており、隣接する洗浄ローラー１２同士の間には間隔Ｓが生じている。
【００３０】
次に、本実施例の記録装置１における洗浄ユニット１３の搬送機構３に対する配置を説明する。  
図３は、本実施例の記録装置１を下方から見た洗浄機構１５の概略斜視図である。  
洗浄ユニット１３は、洗浄ユニット１３の回転軸方向Ｄがグルーベルト１０の移動方向Ｅに対して斜め方向になるように、搬送機構３に対して配置されている。  
詳細には、回転軸方向Ｄと移動式ベルトの移動方向Ｅとで構成される角度θが、グルーベルト１０の移動の際に間隔Ｓに起因する洗浄ユニット１３とグルーベルト１０との非接触部分を生じさせない角度となるように、洗浄ユニット１３は搬送機構３に対して配置されている。  
本実施例の洗浄ローラー１２のブラシ２０部分は直径２０ｃｍの円柱形であり、洗浄ローラー１２同士の間隔Ｓは１ｃｍであるが、ｔａｎθが２０（２０ｃｍ／１ｃｍ）より小さくなるように角度θは設定されている。
【００３１】
また、本実施例の洗浄ユニット１３は回転方向Ｃにも逆方向にも回転可能である。さらに、被記録媒体Ｐの間欠搬送に対応して、被記録媒体Ｐの搬送停止時には洗浄ユニット１３の回転を停止し、被記録媒体Ｐの搬送時には洗浄ユニット１３を回転させること（洗浄ユニット１３の間欠回転）も可能な構成となっている。このような構成により、記録ヘッド７の記録走査中に洗浄ユニット１３が回転することにより生じ得る被記録媒体Ｐの振動を抑制している。
【００３２】
［実施例２］（図４、図５）  
次に、本発明の実施例２に係る記録装置について説明する。  
図４は本発明の実施例２に係る記録装置１の概略側面図を表しており、図５は本発明の実施例２に係る記録装置１を下方から見た洗浄機構１５の概略斜視図を表している。なお、上記実施例と共通する構成部材は同じ符号で示しており、詳細な説明は省略する。
【００３３】
本実施例の記録装置１は、洗浄ユニット１３の洗浄機構として洗浄ユニット１３の回転軸方向Ｄに移動可能なワイパー２１を有する点で実施例１の記録装置１と相違する。ワイパー２１は、洗浄ユニット１３の回転軸方向Ｄに沿う方向に配置されたワイパー軸２２に沿って往復移動することにより洗浄ユニット１３に付着したインク等の汚れを洗浄する。このため、洗浄ユニット１３をきれいに保つことができる。また、トレイ１４の洗浄剤に浮遊する付着物がワイパー２１の移動に伴いトレイ１４の端部に移動し、洗浄ユニット１３への再付着を防止することができる。
【００３４】
［実施例３］（図６）  
次に、本発明の実施例３に係る記録装置について説明する。  
図６は本発明の実施例２に係る記録装置１を下方から見た洗浄機構１５の概略斜視図を表している。なお、上記実施例と共通する構成部材は同じ符号で示しており、詳細な説明は省略する。
【００３５】
本実施例の記録装置１は、モーター等からなる洗浄ユニット１３の移動機構２３を有する点で実施例１の記録装置１と相違する。洗浄ユニット１３は、グルーベルト１０の洗浄の際、洗浄ユニット１３の移動機構２３により、グルーベルト１０のベルト面に沿って回転軸方向Ｄに往復移動可能である。このため、グルーベルト１０に洗浄ユニット１３を擦り付けることが可能になり、グルーベルト１０の洗浄をさらにきれいに実行することができる。特に、洗浄ユニット１３は洗浄ローラー１２を複数有するので、洗浄効果の高い洗浄ローラー１２の角の部分をグルーベルト１０に擦り付けることが可能になり、グルーベルト１０の洗浄をきれいに実行することができる。
【符号の説明】
【００３６】
１  記録装置、２  セット部、３  搬送機構、４  記録機構、
５  セット部２の回転軸、６  従動ローラー、７  記録ヘッド、８  搬送ローラー、
９  従動ローラー、１０  グルーベルト（移動式ベルト）、１１  従動ローラー、
１２  洗浄ローラー、１３  洗浄ユニット、
１４  トレイ（洗浄ユニットの洗浄機構）、
１５  洗浄機構（移動式ベルトの洗浄機構）、１６  カッター、１７  巻取軸、
１８  巻取機構、１９  支持部、２０  ブラシ、
２１  ワイパー（洗浄ユニットの洗浄機構）、２２  ワイパー軸、
２３  洗浄ユニットの移動機構、Ｐ  被記録媒体、Ｓ  洗浄ローラーの間隔
【図１】
2014124783.tif 000003
【図２】
2014124783.tif 000004
【図３】
2014124783.tif 000005
【図４】
2014124783.tif 000006
【図５】
2014124783.tif 000007
【図６】
2014124783.tif 000008